(57)【要約】【課題】本発明は、着脱可能な複数の電源のうちいずれの電源が装着されているかを正確に判定して安全に電源供給する電源装置及び電子機器に関する。【解決手段】電源部１０を備えた画像記録装置１は、電源部１０が、装着可能な複数の電源２０ａ〜２０ｎから当該複数の電源２０ａ〜２０ｎのうち１つを使用電源２０ａ〜２０ｎとして選択する選択部１３までの電源ラインまたは選択部１３以降の電源ラインのうち、電源２０ａ〜２０ｎが接続されていない電源ラインまたは全ての電源ラインの残電荷の放電を放電回路１１ａ〜１１ｎで、所定時間または所定電圧まで行って、判別回路１２が、装着電源２０ａ〜２０ｎを判別して、選択部１３が、判別回路１２の判別した電源２０ａ〜２０ｎを使用電源として選択している。したがって、安全性を確保しつつ、装着電源２０ａ〜２０ｎを素早く、かつ、正確に判別することができる。【選択図】          図１
2005354850.tif 000002
【特許請求の範囲】
【請求項１】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせて前記電源判別手段に前記装着電源を判別させ、当該電源判別手段の判別した電源を使用電源として前記電源選択手段に選択させる制御手段と、を備えていることを特徴とする電源装置。
【請求項２】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電源装置。
【請求項３】
複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電源装置。
【請求項４】
前記制御手段は、前記電源判別手段による装着電源の判別を行う前に、前記放電手段による前記残電荷の放電または／及び前記残電荷検出手段による残電荷の検出を開始することを特徴とする請求項１から請求項３のいずれかに記載の電源装置。
【請求項５】
前記制御手段は、前記放電手段による前記残電荷の放電と前記残電荷検出手段による前記残電荷の検出を、並行して、または、所定の優先順位に基づいて実行することを特徴とする請求項３記載の電源装置。
【請求項６】
前記制御手段は、前記残電荷検出手段の検出する残電荷が所定の設定値に低下しているが、前記電源判別手段による電源検出可能状態でないときには、前記放電手段による放電処理または／及び前記残電荷検出手段による検出処理を停止させ、前記電源選択手段に少なくとも１つの電源を選択させることを特徴とする請求項１から請求項３のいずれかに記載の電源装置。
【請求項７】
前記制御手段は、予め設定された所定の設定条件内に、前記電源判別手段による電源検出可能状態とならないときには、前記放電手段による放電処理または／及び前記残電荷検出手段による検出処理を停止させ、所定のエラー処理を実行することを特徴とする請求項１から請求項３のいずれかに記載の電源装置。
【請求項８】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせて前記電源判別手段に前記装着電源を判別させ、当該電源判別手段の判別した電源を使用電源として前記電源選択手段に選択させる制御手段と、を備えていることを特徴とする電子機器。
【請求項９】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電子機器。
【請求項１０】
複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることを特徴とする電子機器。
【発明の詳細な説明】
【技術分野】
【０００１】
本発明は、電源装置及び電子機器に関し、詳細には、着脱可能な複数の電源のうちいずれの電源が装着されているかを正確に判定して安全に電源供給する電源装置及び電子機器に関する。
【背景技術】
【０００２】
近年、デジタルスチルカメラ等の電子機器においては、複数の各種電池及び交流電源をアダプタで直流変換した電源等のように複数の電源を選択的に使用できるようになってきている。
【０００３】
このような複数の電源を利用可能な電子機器においては、例えば、１次電池の単３型アルカリマンガン電池と充電可能なＮｉ−Ｃｄ電池（ニッケルカドミウム電池）やリチウム電池等の２次電池とを選択的に使用可能となっていることが多く、このように複数の電源を利用可能な電子装置においては、利用する電源の性能を適切に利用するとともに、発煙、発火、爆発等の事故の発生を防止するために、利用する電源の種類を判別する必要がある。
【０００４】
そこで、従来、複数種類の電池を選択的に使用可能な電子機器において、使用される電池の種類を判別する電池判別手段と、この電池判別手段の判別結果に応じて、電池の供給電流を切り換える電流切換手段とを有する電子機器が提案されている（特許文献１参照）。
【０００５】
また、従来、外形形状が略同じであるが電気的特性の異なる電池の１つが選択されて電池収納室に装填される際に、装填された電池がいずれの電池であるかを判別して、装填状況を表示するカメラが提案されている（特許文献２参照）。
【０００６】
そして、本出願人は、先に、電源収納部と直流電源入力端子とを設け、電源収納部には、電池を組み込んだ電池電源と商用交流を所定の直流電圧に変換するＡＣアダプタのいずれを差し換えて着脱可能に装着でき、ＡＣアダプタ使用時には直流電源入力端子を使用不能として、直流電源入力端子からの直流電源が本体回路に印加されないようにした電子機器を提案している（特許文献３参照）。
【０００７】
すなわち、この従来技術は、電池電源で動作中でも電池に対する充電が可能で、商用電源で動作させる場合でも場所をとらない電源部とするとともに、ＡＣアダプタ使用時に直流電源入力端子から異常な電流が印加されて、誤動作や回路の破壊が起こるのを防止している。
【０００８】
【特許文献１】特開平９−２３６１４３号公報
【特許文献２】特開２０００−１９５９５号公報
【特許文献３】特開平７−５９３３５号公報
【発明の開示】
【発明が解決しようとする課題】
【０００９】
しかしながら、上記従来技術にあっては、複数の電源のうち利用している電源を判別することは行っているが、利用電源の判別を誤った際の対象については、考慮されておらず、装置の安全、特に、発煙、発火、爆発等の異常発生を防止する上で、改良の必要があった。
【００１０】
そこで、本発明は、素早く、かつ、正確に電源判別を行とともに、電源判別を誤っても安全な電源装置及び当該電源装置を備えた電子機器を提供する。
【００１１】
具体的には、請求項１記載の発明は、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、電源判別手段が、装着電源を判別して、電源選択手段が、当該電源判別手段の判別した電源を使用電源として選択することにより、装着電源を素早く、かつ、正確に判別し、たとえ、判別を誤っても、電源選択手段が装着されていない電源を選択して、電源が供給されず、動作が行われないのみで、安全性を向上させることのできる電源装置を提供することを目的としている。
【００１２】
請求項２記載の発明は、装着可能な複数の電源から当該複数の電源のうち１つを使用電源として選択する電源選択手段までの電源ラインまたは／及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択することにより、装着電源をより一層安価に、かつ、素早く正確に判別し、たとえ、判別を誤っても、電源選択手段が装着されていない電源を選択して、電源が供給されず、動作が行われないのみで、安全性を向上させることのできる電源装置を提供することを目的としている。
【００１３】
請求項３記載の発明は、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、残電荷検出手段で、電源から電源選択手段までの電源ラインまたは／及び電源選択手段以降の電源ラインの残電荷を検出し、電源判別手段が、当該残電荷検出手段の検出した残電荷を参照して装着電源を判別して、電源選択手段が、当該電源判別手段の判別した電源を使用電源として選択することにより、装着電源を素早く、かつ、より一層正確に判別し、たとえ、判別を誤っても、電源選択手段が装着されていない電源を選択して、電源が供給されず、動作が行われないのみで、安全性を向上させることのできる電源装置を提供することを目的としている。
【００１４】
請求項４記載の発明は、電源判別手段による装着電源の判別を行う前に、放電手段による残電荷の放電または／及び残電荷検出手段による残電荷の検出を開始することにより、接続されている電源の不必要な消費を防止して、省電力化を図るとともに、少なくとも電源判別を行う前に残電荷をなくし、あるいは、所定電圧まで低下させて、正確な電源判別を行う電源装置を提供することを目的としている。
【００１５】
請求項５記載の発明は、放電手段による残電荷の放電と残電荷検出手段による残電荷の検出を、並行して、または、所定の優先順位に基づいて実行することにより、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することのできる電源装置を提供することを目的としている。
【００１６】
請求項６記載の発明は、残電荷検出手段の検出する残電荷が所定の設定値に低下しているが、電源判別手段による電源検出可能状態でないときには、放電手段による放電処理または／及び残電荷検出手段による検出処理を停止させ、電源選択手段に少なくとも１つの電源を選択させることにより、電源装置への通電を確実に行い、動作を可能にして、利用性の良好な電源装置を提供することを目的としている。
【００１７】
請求項７記載の発明は、予め設定された所定の設定条件内に、電源判別手段による電源検出可能状態とならないときには、放電手段による放電処理または／及び残電荷検出手段による検出処理を停止させ、所定のエラー処理を実行することにより、危険を回避し、より一層安全な電源装置を提供することを目的としている。
【００１８】
請求項８記載の発明は、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、電源判別手段が、装着電源を判別して、電源選択手段が、当該電源判別手段の判別した電源を使用電源として選択する電源装置を設けることにより、装着電源を素早く、かつ、正確に判別し、たとえ、判別を誤っても、電源選択手段が装着されていない電源を選択して、電源が供給されず、動作が行われないのみで、安全性を向上させることのできる電子機器を提供することを目的としている。
【００１９】
請求項９記載の発明は、装着可能な複数の電源から当該複数の電源のうち１つを使用電源として選択する電源選択手段までの電源ラインまたは／及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択する電源装置を設けることにより、装着電源をより一層安価に、かつ、素早く正確に判別し、たとえ、判別を誤っても、電源選択手段が装着されていない電源を選択して、電源が供給されず、動作が行われないのみで、安全性を向上させることのできる電子機器を提供することを目的としている。
【００２０】
請求項１０記載の発明は、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、残電荷検出手段で、電源から電源選択手段までの電源ラインまたは／及び電源選択手段以降の電源ラインの残電荷を検出し、電源判別手段が、当該残電荷検出手段の検出した残電荷を参照して装着電源を判別して、電源選択手段が、当該電源判別手段の判別した電源を使用電源として選択する電源装置を設けることにより、装着電源を素早く、かつ、より一層正確に判別し、たとえ、判別を誤っても、電源選択手段が装着されていない電源を選択して、電源が供給されず、動作が行われないのみで、安全性を向上させることのできる電子機器を提供することを目的としている。
【課題を解決するための手段】
【００２１】
請求項１記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせて前記電源判別手段に前記装着電源を判別させ、当該電源判別手段の判別した電源を使用電源として前記電源選択手段に選択させる制御手段と、を備えていることにより、上記目的を達成している。
【００２２】
請求項２記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【００２３】
請求項３記載の発明の電源装置は、複数の電源を切り換えて使用可能な電源装置であって、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【００２４】
上記各場合において、例えば、請求項４に記載するように、前記制御手段は、前記電源判別手段による装着電源の判別を行う前に、前記放電手段による前記残電荷の放電または／及び前記残電荷検出手段による残電荷の検出を開始するものであってもよい。
【００２５】
また、例えば、請求項５に記載するように、前記制御手段は、前記放電手段による前記残電荷の放電と前記残電荷検出手段による前記残電荷の検出を、並行して、または、所定の優先順位に基づいて実行するものであってもよい。
【００２６】
さらに、例えば、請求項６に記載するように、前記制御手段は、前記残電荷検出手段の検出する残電荷が所定の設定値に低下しているが、前記電源判別手段による電源検出可能状態でないときには、前記放電手段による放電処理または／及び前記残電荷検出手段による検出処理を停止させ、前記電源選択手段に少なくとも１つの電源を選択させるものであってもよい。
【００２７】
また、例えば、請求項７に記載するように、前記制御手段は、予め設定された所定の設定条件内に、前記電源判別手段による電源検出可能状態とならないときには、前記放電手段による放電処理または／及び前記残電荷検出手段による検出処理を停止させ、所定のエラー処理を実行するものであってもよい。
【００２８】
請求項８記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせて前記電源判別手段に前記装着電源を判別させ、当該電源判別手段の判別した電源を使用電源として前記電源選択手段に選択させる制御手段と、を備えていることにより、上記目的を達成している。
【００２９】
請求項９記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【００３０】
請求項１０記載の発明の電子機器は、複数の電源を切り換えて使用可能な電源装置を備えた電子機器であって、前記電源装置が、前記複数の電源のうち装着されている電源を検出する電源判別手段と、前記複数の電源のうち１つを使用電源として選択する電源選択手段と、前記電源から前記電源選択手段までの電源ラインまたは／及び前記電源選択手段以降の電源ラインの残電荷を検出する残電荷検出手段と、前記電源から前記電源選択手段までの電源ラインまたは／及び前記電源選択手段以降の電源ラインの残電荷を放電する放電手段と、前記放電手段に前記電源が接続されていない電源ラインまたは全ての電源ラインの前記残電荷の放電を所定時間または所定電圧まで行わせ、前記残電荷検出手段に前記残電荷の検出を行わせて、前記電源判別手段に当該残電荷検出手段の検出した残電荷を参照させて前記装着電源を判別させ、当該電源判別手段の判別した電源を使用電源として前記電源選択手段に選択させる制御手段と、を備えていることにより、上記目的を達成している。
【発明の効果】
【００３１】
請求項１記載の発明の電源装置によれば、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、電源判別手段が、装着電源を判別して、電源選択手段が、当該電源判別手段の判別した電源を使用電源として選択するので、装着電源を素早く、かつ、正確に判別することができ、たとえ、判別を誤っても、電源選択手段が装着されていない電源を選択して、電源が供給されず、動作が行われないのみで、安全性を向上させることができる。
【００３２】
請求項２記載の発明の電源装置によれば、装着可能な複数の電源から当該複数の電源のうち１つを使用電源として選択する電源選択手段までの電源ラインまたは／及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択するので、装着電源をより一層安価に、かつ、素早く正確に判別することができ、たとえ、判別を誤っても、電源選択手段が装着されていない電源を選択して、電源が供給されず、動作が行われないのみで、安全性を向上させることができる。
【００３３】
請求項３記載の発明の電源装置によれば、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、残電荷検出手段で、電源から電源選択手段までの電源ラインまたは／及び電源選択手段以降の電源ラインの残電荷を検出し、電源判別手段が、当該残電荷検出手段の検出した残電荷を参照して装着電源を判別して、電源選択手段が、当該電源判別手段の判別した電源を使用電源として選択するので、装着電源を素早く、かつ、より一層正確に判別することができ、たとえ、判別を誤っても、電源選択手段が装着されていない電源を選択して、電源が供給されず、動作が行われないのみで、安全性を向上させることができる。
【００３４】
請求項４記載の発明の電源装置によれば、電源判別手段による装着電源の判別を行う前に、放電手段による残電荷の放電または／及び残電荷検出手段による残電荷の検出を開始するので、接続されている電源の不必要な消費を防止して、省電力化を図ることができるとともに、少なくとも電源判別を行う前に残電荷をなくし、あるいは、所定電圧まで低下させて、正確な電源判別を行うことができる。
【００３５】
請求項５記載の発明の電源装置によれば、放電手段による残電荷の放電と残電荷検出手段による残電荷の検出を、並行して、または、所定の優先順位に基づいて実行するので、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することができる。
【００３６】
請求項６記載の発明の電源装置によれば、残電荷検出手段の検出する残電荷が所定の設定値に低下しているが、電源判別手段による電源検出可能状態でないときには、放電手段による放電処理または／及び残電荷検出手段による検出処理を停止させ、電源選択手段に少なくとも１つの電源を選択させるので、電源装置への通電を確実に行うことができ、動作を可能にして、利用性を向上させることができる。
【００３７】
請求項７記載の発明の電源装置によれば、予め設定された所定の設定条件内に、電源判別手段による電源検出可能状態とならないときには、放電手段による放電処理または／及び残電荷検出手段による検出処理を停止させ、所定のエラー処理を実行するので、危険を回避することができ、より一層安全性を向上させることができる。
【００３８】
請求項８記載の発明の電子機器によれば、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、電源判別手段が、装着電源を判別して、電源選択手段が、当該電源判別手段の判別した電源を使用電源として選択する電源装置を設けているので、装着電源を素早く、かつ、正確に判別することができ、たとえ、判別を誤っても、電源選択手段が装着されていない電源を選択して、電源が供給されず、動作が行われないのみで、安全性を向上させることができる。
【００３９】
請求項９記載の発明の電子機器によれば、装着可能な複数の電源から当該複数の電源のうち１つを使用電源として選択する電源選択手段までの電源ラインまたは／及び電源選択手段以降の電源ラインの残電荷を残電荷検出手段で検出し、電源判別手段が、当該残電荷検出手段の検出した残電荷を参照して装着電源を判別して、電源選択手段が、当該電源判別手段の判別した電源を使用電源として選択する電源装置を設けているので、装着電源をより一層安価に、かつ、素早く正確に判別することができ、たとえ、判別を誤っても、電源選択手段が装着されていない電源を選択して、電源が供給されず、動作が行われないのみで、安全性を向上させることができる。
【００４０】
請求項１０記載の発明の電子機器によれば、装着可能な複数の電源から当該複数の電源のうち１つを使用電源として選択する電源選択手段までの電源ラインまたは／及び電源選択手段以降の電源ラインのうち、電源が接続されていない電源ラインまたは全ての電源ラインの残電荷の放電を放電手段で、所定時間または所定電圧まで行って、残電荷検出手段で、電源から電源選択手段までの電源ラインまたは／及び電源選択手段以降の電源ラインの残電荷を検出し、電源判別手段が、当該残電荷検出手段の検出した残電荷を参照して装着電源を判別して、電源選択手段が、当該電源判別手段の判別した電源を使用電源として選択する電源装置を設けるので、装着電源を素早く、かつ、より一層正確に判別することができ、たとえ、判別を誤っても、電源選択手段が装着されていない電源を選択して、電源が供給されず、動作が行われないのみで、安全性を向上させることができる。
【発明を実施するための最良の形態】
【００４１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４２】
図１〜図７は、本発明の電源装置及び電子機器の一実施例を示す図であり、図１は、本発明の電源装置及び電子機器の一実施例を適用した画像記録装置１の電源部１０の要部ブロック構成図である。
【００４３】
図１において、画像記録装置１は、デジタルスチルカメラ、複写装置、プリンタ装置等の画像記録を行う電子機器であり、電源部（電源装置）１０、当該電源部１０に接続される複数の電源２０ａ〜２０ｎ及び電源部１０から電源の供給される表示部や音声部等のその他のユニット３０等を備えている。
【００４４】
電源部１０は、電源２０ａ〜２０ｎの数に対応した数の放電回路（放電手段）１１ａ〜１１ｎ、判別回路（電源判別手段）１２、選択部（電源選択手段）１３、放電回路（放電手段）１４、検出回路（残電荷検出手段）１５及び制御部（制御手段）１６等を備えている。
【００４５】
選択部１３は、電源２０ａ〜２０ｎの数に対応した数の選択回路１３ａ〜１３ｎを備えており、それぞれ電源２０ａ〜２０ｎに接続されているとともに、その他のユニット３０に接続されて、選択した電源２０ａ〜２０ｎからその他のユニット３０に電源を供給する。
【００４６】
判別回路１２は、各電源２０ａ〜２０ｎの装着の有無を判別して、制御部１６に判別結果を出力し、制御部１６が、この判別回路１２の判別結果に基づいて選択回路１３ａ〜１３ｎ及び放電回路１１ａ〜１１ｎを制御して、電源２０ａ〜２０ｎの選択制御及び放電制御を行う。
【００４７】
上記放電回路１１ａ〜１１ｎは、電源２０ａ〜２０ｎと選択部１３の各選択回路１３ａ〜１３ｎの間に接続されており、制御部１６の制御下でオン／オフ動作して、各電源２０ａ〜２０ｎ及び当該電源２０ａ〜２０ｎの電源ラインの残電荷を放電する。
【００４８】
放電回路１４は、選択部１３とその他のユニット３０との間に接続されており、制御部１６の制御下でオン／オフ動作して、選択部１３とその他のユニット３０との間の電源ラインの残電荷を放電する。
【００４９】
検出回路１５は、制御部１６の制御下で、選択部１３からその他のユニット３０への電源ラインの残電荷の有無を検出して、残電荷検出結果を制御部１６に出力し、制御部１６は、検出回路１５の残電荷検出結果に基づいて、放電回路１４の放電動作を制御する。
【００５０】
制御部１６は、例えば、ＣＰＵ（Central Processing Unit ）、画像記録装置１及び電源部１０の動作を制御するプログラム及び必要なデータを格納するＲＯＭ（Read Only Memory）及びＲＡＭ（Random Access Memory）等を備え、ＣＰＵがＲＯＭ内のプログラムに基づいてＲＡＭをワークメモリとして利用して画像記録装置１の各部を制御して、画像記録装置１としての処理を実行するとともに、電源部１０の各部を制御して、後述する電源制御処理を実行する。
【００５１】
そして、電源部１０は、電源２０ａ〜２０ｎとして、例えば、電源２０ａにリチウム電池が装着され、電源２０ｂに単３電池が装着される場合、図２に示すように回路構成され、各電源２０ａ、２０ｂが選択部１３の選択回路１３ａ、１３ｂを介して負荷としてのその他のユニット３０の接続されるＵＮＲＥＧ１に接続されており、リチウム電池の電源２０ａの電源ラインには、選択回路１３ａよりも下流側、すなわち、選択回路１３ａとＵＮＲＥＧ１との間に放電回路１４が接続されており、単３電池の電源２０ｂに電源ラインには、選択回路１３ｂよりも上流側、すなわち、選択回路１３ｂと電源２０ｂとの間に判別回路１２と放電回路１１ｂを一体化した判別・放電回路が接続されている。
【００５２】
各選択回路１３ａ、１３ｂは、例えば、制御部１６からの制御信号ＤＣＣＴＬ＿ＤＩＶ、ＤＣＣＴＬ＿Ｔ３等を増幅する小信号増幅用トランジスタＱ１ａ、Ｑ１ｂ（２ＳＣ４０８１等）とこのトランジスタＱ１ａ、Ｑ１ｂの動作でオン／オフして、リチウム電池の電源２０ａと単３電池の電源２０ｂをそれぞれ接続／遮断するＭＯＳＦＥＴ（電界効果トランジスタ：Field Effect Transistor ）Ｑ２ａ、Ｑ２ｂ等を備えており、トランジスタＱ１ａ、Ｑ１ｂへの制御部１６からの制御信号ＤＣＣＴＬ＿ＤＩＶ、ＤＣＣＴＬ＿Ｔ３によってＭＯＳＦＥＴＱ２ａ、Ｑ２ｂがオン／オフして電源ラインの接続／遮断を行う。
【００５３】
なお、このＭＯＳＦＥＴＱ２ａ、Ｑ２ｂは、その寄生ダイオードの向きが、電源２０ａ、２０ｂから負荷であるＵＮＲＥＧ１方向に対して逆方向となっている。
【００５４】
また、放電回路１４は、小信号増幅用トランジスタＱ３等を備え、制御部１６からの放電信号（ＢＡＴ＿ＤＩＳ、ＢＡＴ＿ＴＥＳＴ）に応じてトランジスタＱ３がオンして、選択回路１３ａ以降の電源ラインの電荷の放電を行う。
【００５５】
判別回路１２は、例えば、エピタキシャルプレーナ型のトランジスタＱ４、Ｑ５が用いられており、制御部１６からのテスト信号ＢＡＴ＿ＴＥＳＴによって判別動作を開始して、接続されている電源が、リチウム電池であるか、単３電池であるか等の電源の種類を判別して、判別結果を制御部１６に出力するとともに、電源の種類を示す信号ＢＡＴ＿ＫＩＮＤを放電回路１１ｂのトランジスタＱ６のコレクタに入力し、さらに、判別結果に応じて放電回路１１ｂのベースに制御信号を入力する。
【００５６】
放電回路１１ｂは、判別回路１２の判別結果に応じてオンして、電源２０ｂである単３電池及び単３電池から選択回路１３ａまでの電源ラインの電荷の放電を行う。
【００５７】
なお、信号ＢＡＴ＿ＫＩＮＤは、例えば、単３電池が電源２０ｂに装着されていると、ハイ（Ｈ）が入力され、放電回路１１ｂがオンすると、ハイ（Ｈ）からロー（Ｌ）に移行し、電源２０ｂに単３電池が装着されていないときには、ハイ（Ｈ）のままである。
【００５８】
なお、電源部１０は、図２に示したように、リチウム電池の装着される電源２０ａ側の放電回路が、選択回路１３ａよりも下流側、すなわち、選択回路１３ａとＵＮＲＥＧ１との間に接続されている放電回路１４である場合について説明したが、電源２０ａ側の放電回路も、図３に示すように、電源２０ａと選択回路１３ａとの間に接続された放電回路１１ａであってもよく、放電回路１１ａ自体の構成は、放電回路１４と同じであり、電源２０ｂである単３電池及び単３電池から選択回路１３ａまでの電源ラインの電荷の放電を行う。
【００５９】
また、電源部１０は、図２及び図３に示したように、単３電池の装着される電源２０ｂ側のみに放電・判別回路が接続されているものに限るものではなく、例えば、図４に示すように、判別回路１２と放電回路１１ａを一体化した判別・放電回路が、選択回路１３ａよりも上流側、すなわち、選択回路１３ａと電源２０ａとの間、または、選択回路１３ａよりも下流側に接続されていてもよい。この判別・放電回路の判別回路１２は、図２及び図３の電源２０ｂ側に接続されている判別回路１２と同様の構成であり、同一の符号を付して、その説明を省略する。また、放電回路１１ａも、図３の放電回路１１ａと同様の構成であり、同一の符号を付して、その説明を省略する。
【００６０】
さらに、電源部１０は、選択回路１３ａ、１３ｂとして、ＭＯＳＦＥＴＱ２ａ、Ｑ２ｂの寄生ダイオードが各電源２０ａ、２０ｂに対して逆方向のものを用いているが、図５に示すように、その寄生ダイオードが電源２０ａ、２０ｂから負荷のＵＮＲＥＧ１方向に順方向であるＭＯＳＦＥＴＱ１２ａ、Ｑ１２ｂを用いてもよく、この場合、負荷のＵＮＲＥＧ１に対しては、選択回路１３ａ、１３ｂとの間に、負荷方向に対して逆方向の寄生ダイオードとなるＭＯＳＦＥＴＱ４２を有する選択回路４０を設ける必要がある。この選択回路４０は、基本的には、他の選択回路１３ａ、１３ｂと同様であり、制御部１６からの制御信号ＤＣＣＴＬ＿ＤＩＶ、ＤＣＣＴＬ＿Ｔ３等を増幅する小信号増幅用トランジスタＱ４１（２ＳＣ４０８１等）とこのトランジスタＱ４１の動作でオン／オフして、選択回路１３ａ、１３ｂの出力と負荷側であるＵＮＲＥＧ１を接続／遮断するＭＯＳＦＥＴＱ４２等を備えている。
【００６１】
次に、本実施例の作用を説明する。本実施例の電源部１０を有する画像記録装置１は、複数種類の電源２０ａ〜２０ｎに単３電池、リチウム電池（Ｌｉ電池）等の各種電源を装着可能であり、このような装着可能な電源のうちどの電源が接続されているかの判別を正確に行うとともに、判別を誤っても安全を確保している。
【００６２】
なお、以下の説明では、説明を簡単にするために、電源として、リチウム電池の装着される電源２０ａと、単３電池の装着される電源２０ｂと、を備えているものとして、説明する。
【００６３】
すなわち、電源部１０は、図６に示すように、電源２０ａまたは電源２０ｂにリチウム電池または単３電池が装着（挿入）されると（ステップＳ１０１）、制御部１６が、サブＣＰＵ（ＳＵＢ  ＣＰＵ）をリセットして（ステップＳ１０２）、放電回路１１ａと放電回路１４または放電回路１１ａと放電回路１１ｂに電源ラインの残電荷の放電を行わせつつ、電源電圧の読み込みを行い（ステップＳ１０３）、読込回数または経過時間のカウントを行う（ステップＳ１０４）。なお、以下の説明では、読込回数に基づいて説明する。
【００６４】
読込回数のカウントを行うと、制御部１６は、読込回数が予め設定されている所定回数（所定値）以下であるかチェックし（ステップＳ１０５）、所定回数に到達していないときには、電源電圧が予め設定されている所定電圧（所定値）以下であるかチェックする（ステップＳ１０６）。
【００６５】
制御部１６は、ステップＳ１０６で所定値以下でないときには、ステップＳ１０４に戻って読込回数のカウントから上記同様に処理して、読込回数が所定値に到達するか電源電圧が所定値に到達するかチェックし（ステップＳ１０４〜Ｓ１０６）、ステップＳ１０５で読込回数が所定値に到達するか、ステップＳ１０６で、電源電圧が所定値以下になると、制御部１６は、電源の種類、すなわち、リチウム電池であるか、単３電池であるかの判別を開始し（ステップＳ１０７）、予め設定されている所定時間（所定値）待った後（ステップＳ１０８）、判別値の読み込みを行い（ステップＳ１０９）、電源電圧の判別を停止して（ステップＳ１１０）、装着されている電源が単３電池であるかチェックする（ステップＳ１１１）。
【００６６】
ステップＳ１１１で、単３電池が装着されているときには、制御部１６は、選択回路１３ａ、１３ｂを制御して、単３電池の装着されている電源２０ａに接続されている選択回路１３ａをオンにし、単３電池を負荷であるその他のユニット３０に接続して、電源制御処理を終了する（ステップＳ１１２）。
【００６７】
また、ステップＳ１１１で、単３電池が装着されていないときには、制御部１６は、リチウム電池が装着されていると判断して、選択回路１３ａ、１３ｂを制御して、リチウム電池の装着されている電源２０ｂに接続されている選択回路１３ｂをオンにし、リチウム電池を負荷であるその他のユニット３０に接続して、電源制御処理を終了する（ステップＳ１１３）。
【００６８】
なお、上記ステップＳ１０５で、読取回数が所定値に到達した場合にも、電源判別を開始して電源の接続処理に移行するのは、残電荷が放電しきれていないとき、または、放電回路が機能しない、検出回路が機能しない、あるいは、判別回路や選択部が機能しない等の何らかの故障が発生し、残電荷が分からないとき、または、判別回路が複数の電源が接続されていると判断したときに、読取回数が所定値に到達することで、放電動作や検出動作を停止して、電源の接続処理に移行して、電源部１０への通電を確実に行い、動作を可能にして、利用性を向上させている。
【００６９】
また、本実施例の電源部１０を有する画像記録装置１においては、電源制御処理で読み込んだ電源電圧が所定値以下に下がる前に電源電圧の読込回数が所定回数（所定値）に到達すると、エラーとして処理してもよい。
【００７０】
すなわち、図７に示すように、電源部１０は、電源２０ａまたは電源２０ｂにリチウム電池または単３電池が装着（挿入）されると（ステップＳ２０１）、制御部１６が、サブＣＰＵ（ＳＵＢ  ＣＰＵ）をリセットして（ステップＳ２０２）、放電回路１１ａと放電回路１４または放電回路１１ａと放電回路１１ｂに電源ラインの残電荷の放電を行わせつつ、電源電圧の読み込みを行い（ステップＳ２０３）、読込回数または経過時間のカウントを行う（ステップＳ２０４）。なお、以下の説明では、読込回数に基づいて説明する。
【００７１】
読込回数のカウントを行うと、制御部１６は、読込回数が予め設定されている所定回数（所定値）以下であるかチェックし（ステップＳ２０５）、所定回数に到達していないときには、電源電圧が予め設定されている所定電圧（所定値）以下であるかチェックする（ステップＳ２０６）。
【００７２】
制御部１６は、ステップＳ２０６で所定値以下でないときには、ステップＳ２０４に戻って読込回数のカウントから上記同様に処理して、読込回数が所定値に到達するか電源電圧が所定値に到達するかチェックし（ステップＳ２０４〜Ｓ２０６）、
ステップＳ２０６で、電源電圧が所定値以下になる前に、ステップＳ２０５で、読込回数が所定値に到達すると、制御部１６は、残電荷が放電しきれない状態または検出が不可能な状態であると判断して、エラー処理を実行して、処理を終了する（ステップＳ２０７）。このエラー処理としては、例えば、エラー後のシーケンスの停止、表示部のＬＣＤ（Liquid Crystal Display）やＬＥＤ（Light Emitting Diode）等へのエラー警告表示、あるいは、音声部のスピーカやブザーによるエラー警告音やエラー警告メッセージの出力等を行う。そして、このエラー処理に応じてユーザがエラー解除が行われ、再度、電池（電源）の挿入が行われると、制御部１６は、ステップＳ２０１の処理から電源制御処理を再度開始する。このエラー解除処理としては、例えば、電池（電源）の挿抜やリセットボタンの押下等が行われる。
【００７３】
そして、ステップＳ２０５で読込回数が所定値に到達する前に、ステップＳ２０６で、電源電圧が所定値以下になると、制御部１６は、電源の種類、すなわち、リチウム電池であるか、単３電池であるかの判別を開始し（ステップＳ２０８）、予め設定されている所定時間（所定値）待った後（ステップＳ２０９）、判別値の読み込みを行い（ステップＳ２１０）、電源電圧の判別を停止して（ステップＳ２１１）、装着されている電源が単３電池であるかチェックする（ステップＳ２１２）。
【００７４】
ステップＳ２１２で、単３電池が装着されているときには、制御部１６は、選択回路１３ａ、１３ｂを制御して、単３電池の装着されている電源２０ａに接続されている選択回路１３ａをオンにし、単３電池を負荷であるその他のユニット３０に接続して、電源制御処理を終了する（ステップＳ２１３）。
【００７５】
また、ステップＳ２１２で、単３電池が装着されていないときには、制御部１６は、リチウム電池が装着されていると判断して、選択回路１３ａ、１３ｂを制御して、リチウム電池の装着されている電源２０ｂに接続されている選択回路１３ｂをオンにし、リチウム電池を負荷であるその他のユニット３０に接続して、電源制御処理を終了する（ステップＳ２１４）。
【００７６】
このように、本実施例の電源部１０を備えた画像記録装置１は、電源部１０が、装着可能な複数の電源２０ａ〜２０ｎから当該複数の電源２０ａ〜２０ｎのうち１つを使用電源２０ａ〜２０ｎとして選択する選択部１３までの電源ラインまたは選択部１３以降の電源ラインのうち、電源２０ａ〜２０ｎが接続されていない電源ラインまたは全ての電源ラインの残電荷の放電を放電回路１１ａ〜１１ｎで、所定時間または所定電圧まで行って、判別回路１２が、装着電源２０ａ〜２０ｎを判別して、選択部１３が、判別回路１２の判別した電源２０ａ〜２０ｎを使用電源として選択している。
【００７７】
したがって、装着電源２０ａ〜２０ｎを素早く、かつ、正確に判別することができ、たとえ、判別を誤っても、選択部１３が装着されていない電源２０ａ〜２０ｎを選択して、電源が供給されず、動作が行われないのみで、安全性を向上させることができる。
【００７８】
また、本実施例の電源部１０を備えた画像記録装置１は、装着可能な複数の電源２０ａ〜２０ｎから当該複数の電源２０ａ〜２０ｎのうち１つを使用電源として選択する選択部１３までの電源ラインまたは選択部１３以降の電源ラインのうち、電源２０ａ〜２０ｎが接続されていない電源ラインまたは全ての電源ラインの残電荷の放電を放電回路１１ａ〜１１ｎで、所定時間または所定電圧まで行って、検出回路１５で、電源２０ａ〜２０ｎから選択部１３までの電源ラインまたは選択部１３以降の電源ラインの残電荷を検出し、判別回路１２が、当該検出した残電荷を参照して装着電源２０ａ〜２０ｎを判別して、選択部１３が、当該判別回路１２の判別した電源を使用電源として選択している。
【００７９】
したがって、装着電源２０ａ〜２０ｎを素早く、かつ、より一層正確に判別することができ、たとえ、判別を誤っても、選択部１３が装着されていない電源を選択して、電源が供給されず、動作が行われないのみで、安全性を向上させることができる。
【００８０】
さらに、本実施例の電源部１０を備えた画像記録装置１は、判別回路１２による装着電源２０ａ〜２０ｎの判別を行う前に、放電回路１１ａ〜１１ｎによる残電荷の放電及び検出回路１５による残電荷の検出を開始している。
【００８１】
したがって、接続されている電源２０ａ〜２０ｎの不必要な消費を防止して、省電力化を図ることができるとともに、少なくとも電源判別を行う前に残電荷をなくし、あるいは、所定電圧まで低下させて、正確な電源判別を行うことができる。
【００８２】
また、本実施例の電源部１０を備えた画像記録装置１は、放電回路１１ａ〜１１ｎによる残電荷の放電と検出回路１５による残電荷の検出を、並行して、または、所定の優先順位に基づいて実行している。
【００８３】
したがって、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、装着電源を正確に判別することができる。
【００８４】
さらに、本実施例の電源部１０を備えた画像記録装置１は、検出回路１５の検出する残電荷が所定の設定値に低下しているが、判別回路１２による電源検出可能状態でないときには、放電回路１１ａ〜１１ｎによる放電処理及び検出回路１５による検出処理を停止させ、選択部１３に少なくとも１つの電源を選択させている。
【００８５】
したがって、電源部１０への通電を確実に行うことができ、動作を可能にして、利用性を向上させることができる。
【００８６】
また、本実施例の電源部１０を備えた画像記録装置１は、予め設定された所定の設定条件内に、判別回路１２による電源検出可能状態とならないときには、放電回路１１ａ〜１１ｎによる放電処理及び検出回路１５による検出処理を停止させ、所定のエラー処理を実行している。
【００８７】
したがって、危険を回避することができ、より一層安全性を向上させることができる。
【００８８】
なお、上記実施例においては、放電回路１１ａ〜１１ｎ及び放電回路１４を備え、検出回路１５が選択部１３とその他のユニット３０との間にのみ設けられている場合について説明したが、放電回路１１ａ〜１１ｎの代わりに、検出回路１５と同様の検出回路を設け、電源２０ａ〜２０ｎから選択部１３までの電源ラインまたは選択部１３以降の電源ラインの残電荷を検出回路１５で検出し、判別回路１２が、当該検出した残電荷を参照して装着電源２０ａ〜２０ｎを判別して、選択部１３が、当該判別回路１２の判別した電源２０ａ〜２０ｎを使用電源として選択してもよい。
【００８９】
したがって、装着電源２０ａ〜２０ｎをより一層安価に、かつ、素早く正確に判別することができ、たとえ、判別を誤っても、選択部１３が装着されていない電源２０ａ〜２０ｎを選択して、電源が供給されず、動作が行われないのみで、安全性を向上させることができる。
【００９０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９１】
複数種類の電源を着脱可能に装着され、当該装着された電源の種類を正確に判断して適切な電源供給を行う電源装置及び当該電源装置を備えたデジタルスチルカメラ、プリンタ等の画像記録装置等の電子機器に適用することができる。
【図面の簡単な説明】
【００９２】
【図１】本発明の電源装置及び電子機器の一実施例を適用した画像記録装置の電源部の要部ブロック構成図。
【図２】装着電源がリチウム電池、単３電池である場合の電源部の回路構成図。
【図３】図２のリチウム電池側の放電回路が選択回路よりもリチウム電池側に接続されている場合の電源部の回路構成図。
【図４】図３の放電回路が判別回路も備えている場合の電源部の回路構成図。
【図５】選択回路のＭＯＳＦＥＴの寄生ダイオードが負荷方向に対して順方向となっている場合の電源部の回路構成図。
【図６】図１の電源部による電源制御処理を示すフローチャート。
【図７】図１の電源部によるエラー処理を伴う電源制御処理を示すフローチャート。
【符号の説明】
【００９３】
１  画像記録装置
１０  電源部
１１ａ〜１１ｎ  放電回路
１２  判別回路
１３  選択部
１３ａ、１３ｂ  選択回路
１４  放電回路
１５  検出回路
１６  制御部
２０ａ〜２０ｎ  電源
３０  その他のユニット
Ｑ１ａ、Ｑ１ｂ、Ｑ３、Ｑ４１  トランジスタ
Ｑ２ａ、Ｑ２ｂ、Ｑ４２  ＭＯＳＦＥＴ
【図１】
2005354850.tif 000003
【図２】
2005354850.tif 000004
【図３】
2005354850.tif 000005
【図４】
2005354850.tif 000006
【図５】
2005354850.tif 000007
【図６】
2005354850.tif 000008
【図７】
2005354850.tif 000009